(57)【要約】【課題】保管に好適なサイズに折り畳めると共に、折り畳み状態でも陳列台として使用できる高さを有する折り畳み陳列台及び種々の展示形態を採ることができる陳列台セットを提供すること。【解決手段】天板１と、底板２と、天板１と底板２を接続し、対峙する左右の折り畳み側板３、３と、を有する箱体であり、折り畳み側板３は、上方小側板３１と下方小側板３２を有し、上方小側板３１と下方小側板３２は、内側に折り畳み自在にヒンジ接続され、上方小側板３１は天板１に対して回転自在に接続され、下方小側板３２は底板２に対して回転自在に接続され、折り畳みの際、天板１と底板２は、積み重ね状に折り畳まれる。【選択図】図５
2019136124.tif 000002
【特許請求の範囲】
【請求項１】
平面視が四角形の天板と、
平面視が四角形の底板と、
該天板と該底板間に位置し、対峙する左右の折り畳み側板と、を有する箱体であり、
該折り畳み側板は、第１小側板と第２小側板を有し、
該第１小側板と該第２小側板は、内側に折り畳み自在にヒンジ接続されていることを特徴とする折り畳み陳列台。
【請求項２】
該第１小側板は、上方小側板であり、該第２小側板は、下方小側板であり、該上方小側板は該天板に対して回転自在に接続され、該下方小側板は該底板に対して回転自在に接続され、折り畳みは上下方向において行われることを特徴とする請求項１記載の折り畳み陳列台。
【請求項３】
更に、前後の側板を有し、該前後の側板は、該天板に対して回転自在に吊るされたものであることを特徴とする請求項１又は２記載の折り畳み陳列台。
【請求項４】
折り畳みの際、該天板と該底板は、積み重ね状となり、折り畳み後の厚みは、５〜２０ｃｍであることを特徴とする請求項１又は２記載の折り畳み陳列台。
【請求項５】
該上方小側板と該下方小側板が内側に折り畳まれることを阻止するロック手段を更に、有し、折り畳み後は、底板と天板と一の折り畳み側板で、正面視が三角形状を形成することを特徴とする請求項１〜３のいずれか１項に記載の折り畳み陳列台。
【請求項６】
該第１小側板は、右方小側板であり、該第２小側板は、左方小側板であり、該右方小側板は右側板に対して回転自在に接続され、該左方小側板は左側板に対して回転自在に接続され、折り畳みは左右方向において行われることを特徴とする請求項１記載の折り畳み陳列台。
【請求項７】
該天板は、第１小天板と第２小天板を有し、該第１小天板と該第２小天板は、折り畳み自在にヒンジ接続されており、該底板は、第１小底板と第２小底板を有し、該第１小底板と該第２小底板は、折り畳み自在にヒンジ接続されていることを特徴とする請求項６記載の折り畳み陳列台。
【請求項８】
該天板の天面には、碁盤目の溝が形成され、該底板の底面には、該天板の碁盤目の溝に対応する格子状突起が形成されたことを特徴とする請求項１〜５のいずれか１項に記載の折り畳み陳列台。
【請求項９】
該ヒンジは、ヒンジ軸孔とヒンジ軸棒が回転自在に接続されたことを特徴とする請求項１〜８のいずれか１項に記載の折り畳み陳列台。
【請求項１０】
請求項１〜９記載の折り畳み陳列台を複数個、有する陳列台セット。
【請求項１１】
一の折り畳み陳列台の天板上に、他の折り畳み陳列台の底板を、碁盤目の溝と格子突起を噛み合わせて積み重ねた積み重ね体を有することを特徴とする請求項１０記載の陳列台セット。
【請求項１２】
一の折り畳み陳列台の天板上に、他の折り畳み陳列台の天板を、積み重ねた積み重ね体を有することを特徴とする請求項１０記載の陳列台セット。 
【発明の詳細な説明】
【技術分野】
【０００１】
本発明は、スーパー、百貨店、専門店、コンビニエンスストアー等の店内で商品を陳列するのに用いられるものであり、保管に好適なサイズに折り畳めると共に、折り畳み状態でも陳列台として使用できる高さを有する折り畳み陳列台及び種々の展示形態を採ることができる陳列台セットに関するものである。
【背景技術】
【０００２】
従来、スーパー等の店内での商品陳列方法は、それにより商品の売れ行きが左右されることが多いため、種々の工夫を凝らした方法が採られ、その模様替えも頻繁に行われている。特に、その日の特売品などは店の入口、あるいはエレベーターの乗換付近に大面積を採り、四方から顧客がアクセスできるよう、大きなステージ状の陳列台を設置して行われる。このような大きなステージ状の陳列台は、運搬や保管等を考慮して、ボックス状の台、すなわち、ステージボックスを幾つも用意し、これを縦横に並べて基礎部を形成させ、その上に必要であれば、陳列台を置きセットされる。
【０００３】
特開２００２−６５４２２号公報には、周面の側板４枚、天板１枚及び底板１枚の各部材を嵌め込みにより組立てられる箱状の樹脂製ボックスであって、前記側板は一側に１以上の横溝で区画された複数の柱状係合突部を有し、他側に補強用横リブにより区画された前記柱状係合突部と緊密に係合可能な柱状係合穴を有し、嵌め込み後は、前記柱状係合部と前記柱状係合穴で四隅の柱を形成してなることを特徴とするステージボックスが開示されている。このステージボックスによれば、組立て工具が不要で、組立て作業が極めて簡単であり、且つ軽量で十分な強度を有する。
【０００４】
また、特開２０１３−３１５４７号公報には、陳列商品が載置される平面視が長方形の天板１と、４つの側板２とから構成される硬質プラスチック製のボックス状の収納箱兼用折り畳み商品陳列台であって、少なくとも側板２の裏面はリブ構造であり、天板１と４つの側板２とは、それぞれ係合凹部２１３及び係合凸部１４２で係合され、天板１と大側板２ａ、２ｂの上下方向における係合位置は、天板１と小側板２ｃ、２ｄの上下方向における係合位置より天板１側にあり、折り畳み後は、天板１、大側板２ａ、２ｂ及び小側板２ｃ、２ｄの順で折り重ねられる陳列台が開示されている。この陳列台によれば、折り畳み構造であり、収納箱としても、また、前面開口が広い開口で、後方が囲み状の商品陳列台としても使用できる。
【先行技術文献】
【特許文献】
【０００５】
【特許文献１】特開２００２−６５４２２号公報
【特許文献２】特開２０１３−３１５４７号公報
【発明の開示】
【発明が解決しようとする課題】
【０００６】
しかしながら、特開２００２−６５４２２号公報のステージボックスは、折り畳み構造ではなく、保管の際には、天板、底板及び４つの側板は分解する必要があり、面倒である。また、特開２０１３−３１５４７号公報のボックス状の収納箱兼用折り畳み商品陳列台は、天板がない開口のボックスであり、ステージボックスとしては、使用形態が制限される。また、折り畳み構造ではあるものの、折り畳み後は、厚みのない扁平状となり、ステージボックス（陳列台）としては、使用できない。
【０００７】
従って、本発明の目的は、保管に好適なサイズに折り畳めると共に、折り畳み状態でも陳列台として使用できる高さを有する折り畳み陳列台及び種々の展示形態を採ることができる陳列台セットを提供することにある。
【課題を解決するための手段】
【０００８】
すなわち、本発明は上記従来の課題を解決するものであって、平面視が四角形の天板と、平面視が四角形の底板と、該天板と該底板間に位置し、対峙する左右の折り畳み側板と、を有する箱体であり、該折り畳み側板は、第１小側板と第２小側板を有し、該第１小側板と該第２小側板は、内側に折り畳み自在にヒンジ接続されていることを特徴とする折り畳み陳列台ことを特徴とする折り畳み陳列台を提供するものである。
【０００９】
また、本発明は、該第１小側板は、上方小側板であり、該第２小側板は、下方小側板であり、該上方小側板は該天板に対して回転自在に接続され、該下方小側板は該底板に対して回転自在に接続され、折り畳みは上下方向において行われることを特徴とする前記折り畳み陳列台を提供するものである。
【００１０】
また、本発明は、更に、前後の側板を有し、該前後の側板は、該天板に対して回転自在に吊るされたものであることを特徴とする前記折り畳み陳列台を提供するものである。
【００１１】
また、本発明は、折り畳みの際、該天板と該底板は、積み重ね状となり、折り畳み後の厚みは、５〜２０ｃｍであることを特徴とする前記折り畳み陳列台を提供するものである。
【００１２】
また、本発明は、該上方小側板と該下方小側板が内側に折り畳まれることを阻止するロック手段を更に、有し、折り畳み後は、底板と天板と一の折り畳み側板で、正面視が三角形状を形成することを特徴とする前記折り畳み陳列台を提供するものである。
【００１３】
また、本発明は、該第１小側板は、右方小側板であり、該第２小側板は、左方小側板であり、該右方小側板は右側板に対して回転自在に接続され、該左方小側板は左側板に対して回転自在に接続され、折り畳みは左右方向において行われることを特徴とする前記折り畳み陳列台を提供するものである。
【００１４】
また、本発明は、該天板は、第１小天板と第２小天板を有し、該第１小天板と該第２小天板は、折り畳み自在にヒンジ接続されており、該底板は、第１小底板と第２小底板を有し、該第１小底板と該第２小底板は、折り畳み自在にヒンジ接続されていることを特徴とする前記折り畳み陳列台を提供するものである。
【００１５】
また、本発明は、該天板の天面には、碁盤目の溝が形成され、該底板の底面には、該天板の碁盤目の溝に対応する格子状突起が形成されたことを特徴とする前記折り畳み陳列台を提供するものである。
【００１６】
また、本発明は、該ヒンジは、ヒンジ軸孔とヒンジ軸棒が回転自在に接続されたことを特徴とする前記折り畳み陳列台を提供するものである。
【００１７】
また、本発明は、前記折り畳み陳列台を複数個、有する陳列台セットを提供するものである。
【００１８】
また、本発明は、一の折り畳み陳列台の天板上に、他の折り畳み陳列台の底板を、碁盤目の溝と格子突起を噛み合わせて積み重ねた積み重ね体を有することを特徴とする前記陳列台セットを提供するものである。
【００１９】
また、本発明は、一の折り畳み陳列台の天板上に、他の折り畳み陳列台の天板を、積み重ねた積み重ね体を有することを特徴とする前記陳列台セットを提供するものである。
【発明の効果】
【００２０】
本発明によれば、保管に好適なサイズに折り畳めると共に、折り畳み状態でも陳列台として使用できる高さを有する折り畳み陳列台及び種々の展示形態を採ることができる陳列台セットを提供することができる。
【図面の簡単な説明】
【００２１】
【図１】本発明の第１の実施の形態における折り畳み陳列台の斜視図である。
【図２】図１の折り畳み陳列台の折り畳み後の斜視図である。
【図３】図１の折り畳み陳列台の折り畳み後の底面側から見た斜視図である。
【図４】図１の折り畳み陳列台の底面側から見た斜視図である。
【図５】図１の折り畳み陳列台の折り畳み途中の斜視図である。
【図６】図１の折り畳み陳列台の分解斜視図である。
【図７】折り畳み陳列台の折り畳み側板の折り畳み途中の部分断面図である。
【図８】折り畳み陳列台の折り畳み側板の部分断面図である。
【図９】図１の折り畳み陳列台の使用例を示す図である。
【図１０】図９の折り畳み陳列台に陳列商品を載せた図である。
【図１１】図９の折り畳み陳列台を構成する折り畳み側板（ロック手段付き）の断面図である。
【図１２】図１の折り畳み陳列台を構成する折り畳み側板（ロック手段無し）の断面図である。
【図１３】本発明の第２の実施の形態における折り畳み陳列台の折り畳み途中の斜視図である。
【図１４】本発明の第３の実施の形態における折り畳み陳列台の折り畳み途中の斜視図である。
【図１５】本発明の実施の形態における陳列台セットの斜視図である。
【発明を実施するための形態】
【００２２】
次に、本発明の第１の実施の形態における折り畳み陳列台及び陳列台セットを図１〜１１を参照して説明する。折り畳み陳列台１０は、平面視が四角形の天板１と、平面視が四角形の底板２と、天板１と底板２を接続し、対峙する左右の折り畳み側板３、３と、を有する箱体である。すなわち、折り畳み陳列台１０は、ボックス状であり、４つの側板の内、２つの側板が対峙する折り畳み側板３、３であり、他方の２つの側板は、本例では、吊り下げ側板４、４である。なお、本発明の折り畳み陳列台においては、吊り下げ側板４、４はあってもなくてもよい。このような箱状の陳列台は、ステージ台とも称される。
【００２３】
折り畳み陳列台１０において、天板１は、平面視が四角形で、例えば、５〜１５ｃｍ程度の所定の高さを有する。すなわち、天板１は、上面板１１と４つの側板１２ａ、１２ａ、１２ｂ、１２ｂを有する。このため、折り畳み後の厚み、すなわち、天板１と底板２の合計高さは、８〜２０ｃｍ程度の厚みとなり、折り畳み後も陳列台として使用できる。天板１の上面板１１の表面には、碁盤目の溝１１１が形成されている。これにより、複数の折り畳み陳列台１０を使用し、他の折り畳み陳列台を積み重ねる際、碁盤目の溝１１１と碁盤目の格子突起２１１が係止して、積み重ねが安定する。
【００２４】
天板１を構成する４つの側板の内、２つの側板１２ａ、１２ａには、ヒンジ接続用のヒンジ孔が形成されている。ヒンジ孔はヒンジ突起に形成される前後方向に貫通する孔である。すなわち、折り畳み側板３、３と直交する側板１２ａ、１２ａの両端近傍で且つ下方縁には、ヒンジ孔１１２、１１２が形成されている。このヒンジ孔１１２とヒンジ軸棒６ａによりヒンジを形成する。また、ヒンジ孔１１２、１１２を側板１２の下端から折り畳み側板３の厚みの約半分、上方に形成することで、折り畳みの際、折り畳み側板３の上方小側板３１は、天板１の内側に収納され、天板１と底板２の積み重ねを可能にしている。
【００２５】
天板１を構成する４つの側板の内、他の２つの側板１２ｂ、１２ｂには、ヒンジ接続用の左右方向に貫通するヒンジ孔が形成されている。すなわち、折り畳み側板３、３と平行する側板１２ｂ、１２ｂの両端近傍で且つ上方縁には、ヒンジ孔１１３、１１３が形成されている。このヒンジ孔１１３とヒンジ軸棒６ｂによりヒンジを形成する。また、ヒンジ孔１１３、１１３を側板１２の上方縁で、且つヒンジ１１２より上方に形成することで、吊り下げ側板４、４を天板１の上方板１１の裏面に近接して畳めるため、折り畳み側板３を折り畳む際、折り畳みの障害となることがない。なお、天板１の上方板１１の裏面に畳まれた吊り下げ側板４、４は、吊り下げ状に設置されているため、折り畳み状態からボックス状の箱体にする際、ボックス状の箱体になった際、重力により自然に下方に垂れて、側板を形成することになる。また、天板１の表面の周縁には、一周巻きの周溝１１４が形成されている。この周溝１１４には、商品転倒防止板４１などが設置される（図１０参照）。
【００２６】
底板２は、平面視が四角形で、例えば、３〜５ｃｍ程度の所定の高さを有する。すなわち、底板２は、底面板２１と４つの側板２２ａ、２２ａ、２２ｂ、２２ｂを有する。このため、折り畳み後の厚み、すなわち、天板１と底板２の合計高さは、８〜２０ｃｍ程度の厚みとなり、折り畳み後も陳列台として使用できる。底板２の底面板２１の裏面には、天板１の碁盤目の溝１１１に対応する碁盤目の格子突起２１１が形成されている。これにより、複数の折り畳み陳列台１０を使用し、他の折り畳み陳列台を積み重ねる際、碁盤目の溝１１１と碁盤目の格子突起２１１が係止して、積み重ねが安定する。
【００２７】
底板２を構成する４つの側板の内、２つの側板２２ｂ、２２ｂには、ヒンジ接続用のヒンジ孔が形成されている。すなわち、折り畳み側板３、３と平行する側板２２ｂ、２２ｂの両端近傍には、前後方向に貫通するヒンジ孔２１２、２１２が形成されている。このヒンジ孔２１２とヒンジ軸棒８ａによりヒンジを形成する。底板２を構成する４つの側板２２ａ、２２ａ、２２ｂ、２２ｂの高さを折り畳み側板３の厚みと略同様にすることで、折り畳みの際、折り畳み側板３の下方小側板３２は、底板２の内側に収納され、天板１と底板２の積み重ねを可能にしている。ヒンジ孔２１２、２１２は、側板２２ｂ、２２ｂの裏面から内側に突出した小突起に形成された円形断面の貫通穴である。
【００２８】
底板２を構成する４つの側板の内、他の２つの側板２２ａ、２２ａの内側面であって、且つ左右方向の中央において、内側に少し突出する係止片２２１、２２１が形成されている。この係止片２２１、２２１は、吊り下げ側板４、４の下端面と係止又は当接して、吊り下げ側板４、４を安定して留める。
【００２９】
折り畳み陳列台１０において、折り畳み側板３、３は、上方小側板（第１側板）３１と下方小側板（第２側板）３２を有し、上方小側板３１と下方小側板３２は、内側に折り畳み自在にヒンジ接続され、上方小側板３１は天板１に対して回転自在にヒンジ接続され、下方小側板３２は底板２に対して回転自在にヒンジ接続されたものである。
【００３０】
折り畳み側板３、３は、略四角形状であり、これを上下２つに分けるように分断して得られるものが、上方小側板３１と下方小側板３２である。上方小側板３１と下方小側板３２とのヒンジは、上方小側板３１の下端の第１ヒンジ突起の第１ヒンジ孔３１１と、第１ヒンジ突起と横並びの位置で対応する、下方小側板３２の上端の第２ヒンジ突起の第２ヒンジ孔３１２と、第１ヒンジ孔３１１と第２ヒンジ孔３１２に嵌るヒンジ軸棒７ａ、７ａで構成される。
【００３１】
上方小側板３１と下方小側板３２は、ヒンジ接合されており、ヒンジを構成するヒンジ軸棒７ａの軸中心は、上方小側板３１と下方小側板３２の外側面近傍に設置されている。このため、内側に折り畳み自在であり、外側には、折り畳まれない。なお、折り畳み陳列台１０は、図１１に示すように、上方小側板３１と下方小側板３２が内側に折り畳まれることを阻止するロック手段８ａを更に、有する。
【００３２】
ロック手段８ａは、上方小側板３１の下端からＪ字断面形状に屈曲する第１屈曲片３１ａと、第１屈曲片３１ａの先端から更に屈曲し、途中外側に延びる突出片３１２を有する略Ｔ字形状の第２屈曲片３１ｂを有する。第１屈曲片３１ａと第２屈曲片３１ｂの接続角には、下方小側板３２の係止片３２１が係止する微小突起３１３が形成されている。下方小側板３２の上方には第２屈曲片３１ｂが入る貫通孔３２２が形成されている。また、下方小側板３２の貫通孔３２２の上端には、下方に突出する係止片３２１が形成されている。上方小側板３１の微小突起３１３と下方小側板３２の係止片３２１は、上方小側板３１と下方小側板３２が内側に折り畳まれる際、係止するため、折り畳まれることはない。一方、ロック手段８ａを解除するには、突出片３１２を指で下方に押し下げれば、直上の角部が撓み、上方小側板３１の微小突起３１３と下方小側板３２の係止片３２１の係止が外れる（図１１）。ロック手段８ａを有する折り畳み陳列台１０は、図９及び図１０に示すような折り畳み後は、底板２と天板１と一の折り畳み側板３で、正面視が三角形状を形成するような陳列方法において効果を発揮する。
【００３３】
上方小側板３１は天板１に対して回転自在にヒンジ接続される。上方小側板３１の上端部には、上方小側板３１の上端面から上方に延びるヒンジ突起が形成され、そのヒンジ突起に前後方向に貫通するヒンジ孔３１３が形成されている。すなわち、上方小側板３１のヒンジ孔３１３と天板１のヒンジ孔１１２を対応させ、ヒンジ棒軸６ａにより、ヒンジを形成する。
【００３４】
下方小側板３２は底板２に対して回転自在にヒンジ接続される。下方小側板３２の下端部には、下方小側板３２の下端面から下方に延びるヒンジ突起が形成され、そのヒンジ突起に前後方向に貫通するヒンジ孔３１４が形成されている。すなわち、下方小側板３２のヒンジ孔３１４と底板２のヒンジ孔２１２を対応させ、ヒンジ棒軸８ａにより、ヒンジを形成する。
【００３５】
折り畳み陳列台１０において、吊り下げ側板４、４は、それぞれ１枚の板状体である。吊り下げ側板４は天板１に対して回転自在にヒンジ接続される。吊り下げ側板４の上端部の両側端には、側板の上端辺に沿って延びるヒンジ孔４１１が形成されている。すなわち、吊り下げ側板４のヒンジ孔４１１と天板１のヒンジ孔１１３を対応させ、ヒンジ棒軸６ｂにより、ヒンジを形成する。また、吊り下げ側板４、４の幅寸法は、折り畳み側板３、３の内寸法と略同じであり、吊り下げ側板４、４は、折り畳み側板３、３の内側に吊り下げられる。また、吊り下げ側板４の下方で、側板の幅方向の中央には、手の指が入る四角状の貫通孔９が形成されている。これにより、折り畳んだ状態からボックス体を形成する際、吊り下げ側板４、４が自重により側板位置にくるが、底板２の係止片２２１、２２１に当たり、鉛直状態にはならず、僅かな隙間を形成することになる。そこで、貫通孔９に指を入れ、吊り下げ側板４を手前に引くことで、吊り下げ側板４の下端面と係止片２２１が係止または当接させ、吊り下げ側板４、４を安定して留める。
【００３６】
次に、折り畳み陳列台１０の使用方法について説明する。折り畳み陳列台１０を図１のように、箱状体として、ステージボックスとして使用する場合、１個又は複数個を組み合わせて使用する。折り畳み陳列台１０は、対峙する一対の折り畳み側板３、３が天板１を支える構造となっており、高い強度を有する。また、吊り下げ側板４、４が折り畳み側板３、３間にあるため、これがストッパーとなり、折り畳み側板３、３が内側に折れることがない。また、吊り下げ側板４、４により、ボック内は見えず、意匠性も高い。２つの折り畳み陳列台１０を積み重ねる場合、下側の折り畳み陳列台１０の天板１上に、上側の折り畳み陳列台１０の底板２が乗る。この際、天板１の碁盤目の溝１１１と底板２の碁盤目の格子突起２１１が係止するため、安定した積み重ね体が得られる。
【００３７】
また、折り畳み陳列台１０は、図９に示すように、天板１を傾斜状として使用することができる。すなわち、折り畳み陳列台１０において、一対の折り畳み側板３、３の一方を折り畳み、他方は折り畳まない。そして、折り畳まれた側の天板１の下端を、対応する底板２の底角に入れ込む。これにより、天板１は、傾斜状姿勢を安定して保持する。この傾斜状の陳列面には、図１０に示すように、商品を入れた陳列カゴ４０などが設置される。なお、図１０の符号４１は、商品転倒防止板である。
【００３８】
次に、折り畳み陳列台１０の折り畳み方法について説明する。先ず、吊り下げ側板４、４を内側に押し込む。次いで、折り畳み側板３、３を内側に押し込み、折り畳み側板３、３を折りたたむ。この際、吊り下げ側板４、４は鉛直状に吊り下げられておらず、折り畳み側板３、３は、容易に折り畳まれる。吊り下げ側板４、４は自重により垂れているものの、折り畳まれた折り畳み側板３、３に乗るようにして天板１の裏面近傍まで回転し収納される。そして、折り畳み側板３、３が完全に折り畳まれて、天板１と底板２は、積み重ね状に折り畳まれる。折り畳み陳列台１０において、折り畳み後の厚みは、天板１の厚みと底板２の厚みの合計であり、具体的には５〜２０ｃｍである。このため、折り畳み後の折り畳み陳列台１０は、陳列台として使用することができる。また、収納保管においても、積み重な保管ができ、スペースを採らない。
【００３９】
また、図９〜図１１のような折り畳み後は、底板２と天板１と一の折り畳み側板３で、正面視が三角形状を形成するような使用方法も可能である。この場合、ロック手段８ａをロック状態にしておけば、折り畳み側板３が内側に折り畳まれることはなく、陳列形態は安定となる。なお、折り畳み陳列台１０において、ロック手段８ａはなくともよい。すなわち、ロック手段８ａのない形態としては、図１２に示すように、上方小側板３１は、下端からＪ字断面形状に屈曲する第１屈曲片３１ａを有し、下方小側板３２は、側面視がコ字断面形状の上端部３２１を有し、この上端部３２１の先端が、上方小側板３１の裏面に当接するものが挙げられる。これにより、上方小側板３１と下方小側板３２は内側に折り畳まれても、外側に折り畳まれることはない。
【００４０】
次に、本発明の第２の実施の形態における折り畳み陳列台を図１３を参照して説明する。図１３の折り畳み陳列台において、図１〜図１０の折り畳み陳列台と同一構成要素には同一符号を付して、その説明を省略し、異なる点について主に説明する。なお、図１３において、図１の底板と同一物の底板が使用されているが、図では省略した。すなわち、図１３の折り畳み陳列台１０ａにおいて、折り畳み陳列台１０と異なる点は、側板の形状及び天板と底板が取り付けられるヒンジ箇所である。
【００４１】
折り畳み陳列台１０ａにおいて、左右側板が折り畳み側板であり、前後側板が板状の非折り畳み側板である。折り畳み側板４ａは、右方小側板（第１小側板）（不図示）と左方小側板（第２小側板）４１ａが左右方向において折り畳まれるものであり、右方小側板は右側板３３ｂに対して回転自在に接続され、左方小側板４１ａは左側板３４ｂに対して回転自在に接続されている。また、天板１ａは、右側板３３ｂの上端において、回転自在に接続されている。また、不図示の底板は、左側板３４ｂの下端において、回転自在に接続されている。天板１ａは、図１３においては折り畳み途中であり、折り畳み後は、側板３３ｂに折り畳まれる。すなわち、折り畳み陳列台１０ａは、折り畳み後、天板１ａ、側板３３ｂ、折り畳み側板４ａ、側板３４ｂ及び底板が積み重ねられたものとなる。また、天板１ａは、左側板３４ｂの上端に回転自在に接続されてもよい。
【００４２】
次に、本発明の第３の実施の形態における折り畳み陳列台を図１４を参照して説明する。図１４の折り畳み陳列台１０ｂにおいて、図１３の折り畳み陳列台１０ａと同一構成要素には同一符号を付して、その説明を省略し、異なる点について主に説明する。なお、図１４において、図１の底板と同一物の底板が使用されているが、図では省略した。すなわち、図１４の折り畳み陳列台１０ｂにおいて、折り畳み陳列台１０ａと異なる点は、天板及び底板である。
【００４３】
折り畳み陳列台１０ｂにおいて、天板１ｂは、第１小天板１１ｃと第２小天板１１ｄを有し、第１小天板１１ｃと第２小天板１１ｄは、折り畳み自在にヒンジ接続されており、底板は、不図示の第１小底板と第２小底板を有し、第１小底板と第２小底板は、折り畳み自在にヒンジ接続されている。また、第１小天板１１ｃの他端は、側板３４ｂの上端に回転自在に接続され、第２小天板１１ｄの他端は、側板３３ｂの上端に回転自在に接続されている。また、第１小底板の他端は、側板３４ｂの下端に回転自在に接続され、第２小底板の他端は、側板３３ｂの下端に回転自在に接続されている。天板１ｂは、図１４においては折り畳み途中であり、折り畳み後は、第１小天板１１ｃと第２小天板１１ｄは重なるように折り畳まれ、第１小底板と第２小底板は、重なるように折り畳まれる。折り畳み陳列台１０ｂは、左右方向において折り畳まれた後は、２層の折り畳み構造となる。
【００４４】
次に、本発明の陳列台セットについては、図１５を参照して説明する。陳列台セット２０は、複数（本例では６個）の折り畳み陳列台１０を使用したもので、陳列の演出に適したステージ台を形成する。すなわち、陳列台セット２０において、一の折り畳み陳列台１０の天板１１上に他の折り畳み陳列台１０の底板２を、碁盤目の溝１１１と格子突起２１１を噛み合わせて積み重ねた積み重ね体を含むものである。すなわち、陳列台セット２０は、３つの折り畳み陳列台１０を横並びに設置し、第１段の基台を形成する。次いで、第１段の基台上に、２つの折り畳み陳列台１０を横並びに設置し、第２段の基台を形成する。第２段の基台を構成する１つの折り畳み陳列台１０は、第１段の基台の１つの折り畳み陳列台１０の半分に、他の１つの折り畳み陳列台１０の半分の上に設置される。このような設置においても、天板１の碁盤目の溝１１１と、他の折り畳み陳列台１０の底板２の格子突起２１１は噛み合っている。また、１つの折り畳み陳列台１０が、第２段の基台を構成する折り畳み陳列台１０の上に設置される。このような陳列台セット２０は、階段状の陳列形態を採り、且つ積み重ね安定性の高い、ステージ台を形成することができる。
【００４５】
本発明において、上記実施の形態例に限定されず、種々の変形例を採ることができる。折り畳み陳列台１０において、吊るし側板４は任意の構成要素であるが、吊るし側板４がない場合、折り畳み側板３、３間を突っ張る突っ張り棒を内部に介在させてもよい。これにより、折り畳み側板３、３が、不用意に折り畳まれることはない。また、ヒンジ孔を形成するヒンジ突起としては、側板の上端から上方に突出する突起又は下端から下方に突出する突起に形成されるものの他、板状体の端面から内側に切り込み入れることで突起を形成し、この突起にヒンジ孔を形成するものであってもよい。
【００４６】
また、陳列台セットにおいて、例えば、図１５において、折り畳み陳列台１０一の折り畳み陳列台の天板上に他の折り畳み陳列台の天板を、スライド自在に積み重ねた積み重ね体を有するものであってもよい。この場合、一の折り畳み陳列台と他の折り畳み陳列台は、碁盤目の溝と碁盤目の突起の係止がないため、固定が安定しないものの、スライド自在であるため、陳列形態を変更する際、簡単にできる。
【産業上の利用可能性】
【００４７】
本発明によれば、保管に好適なサイズに折り畳めると共に、折り畳み状態でも陳列台として使用できる高さを有する。このため、使用者側にとっては、保管に都合がよく、種々の使用形態を採ることができる。また、顧客側にとっては、趣きのある陳列面に惹かれる。
【符号の説明】
【００４８】
１        四角形の天板
２        四角形の底板
３        折り畳み側板
４        吊り下げ側板
６ａ、６ｂ、７ａ、８ａ      ヒンジ軸棒
１０、１０ａ、１０ｂ      折り畳み陳列台
１１      天板の上面板
１２ａ、１２ａ、１２ｂ、１２ｂ      天板の側板
２０      陳列台セット
１１１    碁盤目の溝
１１２、１１３、２１２    ヒンジ孔
２１１    碁盤目の格子突起
【図１】
2019136124.tif 000003
【図２】
2019136124.tif 000004
【図３】
2019136124.tif 000005
【図４】
2019136124.tif 000006
【図５】
2019136124.tif 000007
【図６】
2019136124.tif 000008
【図７】
2019136124.tif 000009
【図８】
2019136124.tif 000010
【図９】
2019136124.tif 000011
【図１０】
2019136124.tif 000012
【図１１】
2019136124.tif 000013
【図１２】
2019136124.tif 000014
【図１３】
2019136124.tif 000015
【図１４】
2019136124.tif 000016
【図１５】
2019136124.tif 000017